【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
多量の潤滑粘性油、ならびに
少量の分散性粘度調整量の、ポリマー主鎖およびペンダントカルボニル含有基を含むグラフト化ポリマーを含む潤滑組成物であって、前記ポリマー主鎖がブロックＡの少なくとも１つおよびブロックＢの少なくとも１つを含み、ブロックＡがオレフィンブロックを含み、ブロックＢがビニル芳香族ブロックを含み、ブロックＡ中のモノマー単位とブロックＡ＋ブロックＢの組合せ中のモノマー単位とのモル比が０．５〜０．９の範囲であり；
前記ペンダントカルボニル含有基がブロックＢ上でグラフト化されており、前記カルボニル含有基が、エステル、イミドおよび／またはアミド官能基を提供するように任意選択でさらに置換されており、ブロックＢ上の前記ペンダントカルボニル含有基のグラフト化が、ブロックＢのビニル芳香族炭素をハロゲン化し、次いで活性化剤の存在下で前記ビニル芳香族炭素上のカルボン酸またはその誘導体をグラフト化することによって実施される、潤滑組成物。
【請求項２】
前記グラフト化ポリマーがテーパー型コポリマーではないコポリマーを含み、そしてブロックＡが２０モル％〜８０モル％または３０モル％〜７０モル％の、アルキル分枝基を含む繰り返し単位を含むか；あるいは、前記グラフト化ポリマーがテーパー型コポリマーであるコポリマーを含み、そしてブロックＡが４０モル％〜８０モル％または５０モル％〜７５モル％の、アルキル分枝基を含む繰り返し単位を含む、請求項１に記載の潤滑組成物。
【請求項３】
前記ポリマー主鎖が、脂肪族ジエンから誘導された繰り返し単位およびアルケニルアレーンから誘導された繰り返し単位を含む、請求項１または２に記載の潤滑組成物。
【請求項４】
前記ポリマー主鎖が、スチレンおよびブタジエンから誘導された繰り返し単位を含む、請求項１から３のいずれかに記載の潤滑組成物。
【請求項５】
前記グラフト化ポリマーが、ジブロックコポリマー、連続ブロックコポリマーまたはその混合物を含む、請求項１から４のいずれかに記載の潤滑組成物。
【請求項６】
前記カルボン酸誘導体が、無水物、ハロゲン化物またはアルキルエステルを含む、請求項１から５のいずれかに記載の潤滑組成物。
【請求項７】
前記グラフト化ポリマーが、１０００〜１，０００，０００の範囲または１０，０００〜２５０，０００の範囲の重量平均分子量および／あるいは１〜１．６の範囲または１．０１〜１．５５の範囲の多分散度を有する、請求項１から６のいずれかに記載の潤滑組成物。
【請求項８】
前記グラフト化ポリマーが水素化に使用可能な二重結合を含み、そして水素化に使用可能な前記二重結合の５０〜１００％または９０％〜１００％または９５％〜１００％が水素化されている、請求項１から７のいずれかに記載の潤滑組成物。
【請求項９】
前記カルボニル含有基がアミドおよび／またはイミド官能基を提供するように置換されており、前記アミドおよび／またはイミド官能基が窒素含有モノマーまたはアミンによって提供されている、請求項１から８のいずれかに記載の潤滑組成物。
【請求項１０】
前記組成物が、分散剤、酸化防止剤、摩耗防止剤、摩擦調整剤またはその２つ以上の混合物をさらに含む、請求項１から９のいずれかに記載の潤滑組成物。
【請求項１１】
前記潤滑組成物が、エンジンオイルであり、そして（ｉ）０．８重量％以下のイオウ含有量、（ｉｉ）０．２重量％以下のリン含有量または（ｉｉｉ）２重量％以下の硫酸塩灰分含有量の少なくとも１つを有するか；あるいは、前記潤滑組成物が、（ｉ）０．５重量％以下のイオウ含有量、（ｉｉ）０．１重量％以下のリン含有量および（ｉｉｉ）１．５重量％以下の硫酸塩灰分含有量を有する、請求項１から１０のいずれかに記載の潤滑組成物。
【請求項１２】
２ストロークもしくは４ストローク内燃機関、２ストロークもしくは４ストローク舶用ディーゼル内燃機関用のエンジンオイル、ギアオイル、自動変速機オイル、油圧油、タービン油、金属加工油剤またはサーキュレーティングオイルとしての、請求項１から１１のいずれかに記載の潤滑組成物の使用。
【手続補正２】
【補正対象書類名】明細書
【補正対象項目名】００５３
【補正方法】変更
【補正の内容】
【００５３】
本発明の方法のさらに他の態様によれば、そのアミンは、アミノジフェニルアミン、ジメチルアミノプロピルアミン、アミノプロピルイミダゾール、ジメチルフェニルアミン、４−（４−ニトロフェニルアゾ）アニリン、ファーストブルーＲＲまたはその２つ以上の混合物を含む。
例えば、本発明は以下の項目を提供する。
（項目１）
ポリマー主鎖およびペンダントカルボニル含有基を含むグラフト化ポリマーを含む組成物であって、前記ポリマー主鎖がブロックＡの少なくとも１つおよびブロックＢの少なくとも１つを含み、ブロックＡがオレフィンブロックを含み、ブロックＢがビニル芳香族ブロックを含み、ブロックＡ中のモノマー単位とブロックＡ＋ブロックＢの組合せ中のモノマー単位とのモル比が０．５〜０．９の範囲であり；
前記ペンダントカルボニル含有基がブロックＢ上でグラフト化されており、前記カルボニル含有基が、エステル、イミドおよび／またはアミド官能基を提供するように任意選択でさらに置換されており、ブロックＢ上の前記ペンダントカルボニル含有基のグラフト化が、ブロックＢのビニル芳香族炭素をハロゲン化し、次いで活性化剤の存在下で前記ビニル芳香族炭素上のカルボン酸またはその誘導体をグラフト化することによって実施される組成物。
（項目２）
前記グラフト化ポリマーがテーパー型コポリマーではないコポリマーを含み、そしてブロックＡが２０モル％〜８０モル％または３０モル％〜７０モル％の、アルキル分枝基を含む繰り返し単位を含むか；あるいは、前記グラフト化ポリマーがテーパー型コポリマーであるコポリマーを含み、そしてブロックＡが４０モル％〜８０モル％または５０モル％〜７５モル％の、アルキル分枝基を含む繰り返し単位を含む、項目１に記載の組成物。
（項目３）
前記ポリマー主鎖が、脂肪族ジエンから誘導された繰り返し単位およびアルケニルアレーンから誘導された繰り返し単位を含む、項目１または２に記載の組成物。
（項目４）
前記ポリマー主鎖が、スチレンおよびブタジエンから誘導された繰り返し単位を含む、前記項目のいずれかに記載の組成物。
（項目５）
前記グラフト化ポリマーが、ジブロックコポリマー、連続ブロックコポリマーまたはその混合物を含む、前記項目のいずれかに記載の組成物。
（項目６）
前記カルボン酸誘導体が、無水物、ハロゲン化物またはアルキルエステルを含む、前記項目のいずれかに記載の組成物。
（項目７）
前記グラフト化ポリマーが、１０００〜１，０００，０００の範囲または１０，０００〜２５０，０００の範囲の重量平均分子量および／あるいは１〜１．６の範囲または１．０１〜１．５５の範囲の多分散度を有する、前記項目のいずれかに記載の組成物。
（項目８）
前記グラフト化ポリマーが水素化に使用可能な二重結合を含み、そして水素化に使用可能な前記二重結合の５０〜１００％または９０％〜１００％または９５％〜１００％が水素化されている、前記項目のいずれかに記載の組成物。
（項目９）
前記カルボニル含有基がアミドおよび／またはイミド官能基を提供するように置換されており、前記アミドおよび／またはイミド官能基が窒素含有モノマーまたはアミンによって提供されている、前記項目のいずれかに記載の組成物。
（項目１０）
前記項目のいずれかに記載の組成物および希釈剤を含む濃縮物であって、前記グラフト化ポリマーと前記希釈剤の重量比が１：９９〜９９：１または８０：２０〜１０：９０の範囲である濃縮物。
（項目１１）
多量の潤滑粘性油および少量の分散性粘度調整量の項目１から９のいずれかに記載の組成物を含む潤滑組成物。
（項目１２）
前記組成物が、分散剤、酸化防止剤、摩耗防止剤、摩擦調整剤またはその２つ以上の混合物をさらに含む、項目１１に記載の潤滑組成物。
（項目１３）
前記潤滑組成物が、エンジンオイルであり、そして（ｉ）０．８重量％以下のイオウ含有量、（ｉｉ）０．２重量％以下のリン含有量または（ｉｉｉ）２重量％以下の硫酸塩灰分含有量の少なくとも１つを有するか；あるいは、前記潤滑組成物が、（ｉ）０．５重量％以下のイオウ含有量、（ｉｉ）０．１重量％以下のリン含有量および（ｉｉｉ）１．５重量％以下の硫酸塩灰分含有量を有する、項目１１または項目１２に記載の潤滑組成物。
（項目１４）
２ストロークもしくは４ストローク内燃機関、２ストロークもしくは４ストローク舶用ディーゼル内燃機関用のエンジンオイル、ギアオイル、自動変速機オイル、油圧油、タービン油、金属加工油剤またはサーキュレーティングオイルとしての、項目１１から１３のいずれかに記載の潤滑組成物の使用。
（項目１５）
ポリマー主鎖上のカルボニル含有基をグラフト化してグラフト化ポリマーを生成するステップを含む方法であって；
前記ポリマー主鎖がブロックＡの少なくとも１つおよびブロックＢの少なくとも１つを含み、ブロックＡが少なくとも１つのオレフィンブロックを含み、ブロックＢが少なくとも１つのビニル芳香族ブロックを含み、ブロックＡ中のモノマー単位とブロックＡ＋ブロックＢの組合せ中のモノマー単位とのモル比が０．５〜０．９の範囲であり；
前記カルボニル含有基がカルボン酸またはその誘導体から誘導され、前記誘導体が無水物、ハロゲン化物またはアルキルエステルであり、前記カルボニル含有基がブロックＢ上でグラフト化されており、前記カルボニル含有基が、エステル、イミドおよび／またはアミド官能基を提供するように任意選択でさらに置換されており；
前記カルボニル含有基が、ブロックＢの前記ビニル芳香族炭素をハロゲン化し、次いで活性化剤の存在下で前記ビニル芳香族炭素上のカルボン酸またはその誘導体をグラフト化することによってブロックＢ上でグラフト化される方法。